(57)【要約】【課題】足場フレームの組立の際に、縦方向、横方向でも連結のための部品が不要で、またモンキーなど工具も不要で、連結作業が容易に行われ、また曲げ強度の大きい、吊り足場組み立て用差込み連結管を提供すること。【解決手段】中空四角柱管３０からなり、その両端管に縦方向連結口３２，３４とその両端間で軸に対し垂直な少なくとも１つの対向した外側面に横方向連結口３６，３８を設ける。好ましくは、縦方向又は横方向連結口部の一方は、突縁部３２又は３６からなり、これに内装したばね３２ａ，３６ａと、このばねに付設され、軸に対し垂直に弾発可能なピン３２ｂ、３６ｂと、側面に設けたピン通し孔３２ｃ、３６ｃとを備え、他方は、受け口部３４，３８及び対向する２つの外側面にピンロック孔３４ｃ、３８ｃを設ける。【選択図】図１
2004019375.tif 000002
【特許請求の範囲】
【請求項１】
縦材又は横材として使用可能な中空四角柱管からなり、その両端に縦方向連結口（３２，３４）と、その両端間の外側面に少なくとも１つの対向した横方向連結口部（３６，３８）とを具備していることを特徴とする、吊り足場組み立て用差込み連結管。
【請求項２】
縦方向連結口部の一方（３２）は、突縁部からなり、これに内装したばね（３２ａ）と、このばねに付設され、軸に対し垂直に弾発可能なピン（３２ｂ）と、側面に設けたピン通し孔（３２ｃ）とを備え、他方（３４）は、受け口部及び対向する２つの外側面にピンロック孔（３４ｃ）を備えていることを特徴とする、請求項１に記載の吊り足場組み立て用差込み連結管。
【請求項３】
横方向連結口の一方（３６）は、突縁部からなり、これに内装したばね（３６ａ）と、このばねに付設され、軸に対し垂直に弾発可能なピン（３６ｂ）と、側面に設けたピン通し孔（３６ｃ）とを備え、他方（３８）は、受け口部及び対向する２つの外側面にピンロック孔（３８ｃ）を備えていることを特徴とする、請求項１又は２に記載の吊り足場組み立て用差込み連結管。
【請求項４】
ヘッドがリング状のボルトからなる吊りチェーン取付け具として吊りボルト（４０）が管外側面に等間隔で取り付けられていることを特徴とする、請求項１、請求項２又は請求項３に記載の吊り足場組み立て用差込み連結管。
【請求項５】
上下端のフック（４２ｆ、４２ｆ）にそれぞれ連結されたチェーン（４２ｃ、４２ｃ）の間に、ボルト（４２ｂ）を備え吊り高さ調節可能なターンバックル（４２ｔ）が取り付けられていることを特徴とする、吊り足場用吊りチェーン。
【請求項６】
請求項４に記載の複数の差込み連結管が横材（３０Ｆ）として互いに平行に使われた際に、吊りボルト（４０）と連結口（３８）とを掛け留め部とし、これら掛け留め部に対応した切り欠き部を有して、横材（３０Ｆ）間に敷設されることを特徴とする、床プレート（４４）。
【請求項７】
請求項４に記載の複数の差込み連結管が支持材Ａよりチェーンなどにより吊り下げられ、その際縦方向連結口（３２，３４）により縦材（３０Ｅ）として連結し、同様の複数の差込み連結管を横材（３０Ｆ）として横方向連結口（３６，３８）により縦材上に交差して連結し、吊りボルト（４０）と連結口（３８）とを掛け留め部として床プレート（４４）を横材間に敷設することを特徴とする、吊り足場組立施工法。
【発明の詳細な説明】
【０００１】
【発明の属する技術分野】
本発明は、吊り足場組み立て用差込み連結管に関し、詳しくは高速道路や橋梁等の各種の建設、土木工事では、初めに吊り足場を作り、その上で建設作業や改修工事を行うことが多く、そのための吊り足場フレーム組み立てに関し、とくに縦材、横材として共用され、縦又は横方向に連結が容易な、改良された吊り足場組み立て用差込み連結管に関する。
【０００２】
【従来の技術】
特公平７−１０３６７９号の公報に詳しい記載がある。この公報記載によれば、このような吊り足場は、従来は例えば以下のようにして組み立てられていた。本願図１１のように、作業者Ｍがのったクレーン等Ｃを移動させながら、二本の桁材などの支持材Ａにチェーン吊下用クランプＤを所定間隔で取付け、夫々のクランプＤにチェーンＢを吊下げる。次に、図１２のように吊下げられているチェーンＢに親パイプと呼ばれる縦材Ｅを通し、その上に熟練した鳶職人等の作業者Ｍがのって隣り合う縦材Ｅ同士を連接させる（これを通常は親パイプを流すという。）。さらに、図１３のように吊下げられている縦材Ｅの間に、ころがしパイプと呼ばれる横材Ｆを渡してそれらを直交クランプ等の固定具Ｇにより固定する。また、同横材Ｆの中央部に腹起こしパイプと称される補助材Ｈを載せ、これと横材Ｆとを直交クランプなどの固定具Ｇで固定する。
【０００３】
このような従来例に対し、上記公報に記載の先行発明は、次のような吊り足場材を開示している。本願の図１４−１５に照らせばよく理解される。この先行発明は、「基材１ａに作業者がのれる広さの網や板等の踏み材２を取付け、同基材１ａの２箇所以上に支持材Ａから吊下げるチェーン、ワイヤ等の索上Ｂを係止して基材１ａを支持具Ａにそれと交差する向きに吊り下げ可能な係止部３を設け、基材１ａに、支持材Ａと交差する向きに吊下げて並べた足場材１同士を連結する配列方向連結具４を設け、基材１ａのうち配列方向連結具４と反対側に配列方向連結受部２１を設け、同基材１ａの横方向端部側に、支持材Ａと交差する向きに吊り下げられた足場材１とその横にそれと同じ向きに吊り下げられた他の足場材１とを連結する横連結具５を係止可能な横連結受部２３を設けてなることを特徴とする吊り足場材」に関するものである。
【０００４】
【発明が解決しようとする課題】
この先行発明は、「従来は吊り足場の組み立てに必要な単管、足場板Ｊ、番線、落下防止用ネットＮ等の各種部材が個別に独立してばらばらになっているので、現場での組立作業が面倒であるとか、組立中に部品が落下して危険であるとか、各部品の管理や、取り扱い、運搬等が面倒で煩雑であるといった各種難点があった。」と指摘して、その発明の目的では、「吊り足場を組み立て中に部品が落下する危険もない足場材を提供することにある。」と記載されている。
【０００５】
しかしながら、この先行発明によれば、縦方向の連結については、本願の図１５のように、「配列方向連結具４の他端側を他方の基材１ａの丸パイプ１１の通し孔（配列方向連結受部２１）内に差込み、この配列方向連結具４に形成されている貫通穴１３と丸パイプ１１に形成されている係止穴１４とを位置合わせし、同丸パイプ１１の外側からそれらの穴１３，１４にグラビティーロック等の貫通部材１５を貫通させると、同配列方向連結具４が丸パイプ１１から抜けなくなるようにしてあり、これにより前記足場材１が配列方向に連結されるようにしてある。」と記載され、複雑な機構を有し、また貫通部材１５が必要で、高所作業中に落下する危険がある。
【０００６】
また、横方向の連結については、本願図１５のように、「通常の固定クランプ５が使用されている。この横連結具５は基材１ａと踏み材２の長手方向両端部間に形成された空間部２２に差込んでセットすると共に、基材１ａの長手方向（横方向）に並べられた２つの足場材の丸パイプ１１（この実施例では丸パイプ１１を横連結受部２３としてある）に下方から係止固定して両横連結受部２３同士を連結し、これにより基材１ａ同士を横方向に連結できるようにしてある。」と記載され、同様に複雑な機構を有し、固定クランプ５とボルト締めのためモンキーなど工具が必要で、高所作業中に落下する危険がある。
【０００７】
先行発明による足場材１は、角パイプ１０と丸パイプ１１とからなる四辺縁に踏み材２がセットされたもので、図１４のように１つの足場材１を高所作業車により設定した後は、高所作業車を要さずに、その足場をもとにして縦方向に図１５のように、また横方向に図１６のように、次から次へとタイル張りのように他の足場材が連結して組み立てられるようにしたものである。
【０００８】
しかしながら、図１４のように、丸パイプ１１を二分してチェーンＢが掛けられ、その両側に作業者Ｍが足をバランスよく立てばよいが、これを不注意に一方側のみ足をかけて、バランスをくずし、落下してしまったという人身事故が報告されている。従って、このような組立施工が安全とは言えない。
【０００９】
本発明の主たる目的は、吊り足場フレームの組立の際に、縦方向、横方向でも連結のための部品が不要で、またモンキーなど工具も不要で、連結作業が容易に行われ、また曲げ強度の大きい、吊り足場組み立て用差込み連結管を提供することである。
【００１０】
他の目的は、安全に作業ができるように吊り高さが容易に調節できる吊り足場用吊りチェーンを提供することである。
【００１１】
【課題を解決するための手段】
前記した主たる目的は、縦材又は横材として使用可能な中空四角柱管からなり、その両端に縦方向連結口と、その両端間の外側面に少なくとも１つの対向した横方向連結口部とを具備することにより、達成される。
【００１２】
その際、好ましくは、縦方向連結口部の一方は、突縁部からなり、これに内装したばねと、このばねに付設され、軸に対し垂直に弾発可能なピンと、側面に設けたピン通し孔とを備え、他方は、受け口部及び対向する２つの外側面にピンロック孔を備えていることにより、達成される。
さらに、好ましくは、横方向連結口の一方は、突縁部からなり、これに内装したばねと、このばねに付設され、軸に対し垂直に弾発可能なピンと、側面に設けたピン通し孔とを備え、他方は、受け口部及び対向する２つの外側面にピンロック孔（３８ｂ）を備えていることにより、達成される。
【００１３】
他の目的は、上下端のフックにそれぞれ連結されたチェーンの間に、ボルトを備え吊り高さ調節可能なターンバックルを取り付けることにより、達成される。
【００１４】
【作用】
本発明では、中空四角柱管を用いるので、その横断面は四辺縁が梁桁となり、曲げ強度が大きく縦材又は横材として使用可能で、図１３にみられうように、横方向の中間に腹起こしパイプと称される補助材Ｈの取り付けが不要である。
【００１５】
本発明の好ましい実施例では、縦方向の連結にはそ一方管端口の突縁部を他方管端口の受け口部に差し込めば、ピンが交差、弾発してロックされ、不用意に引き抜き不能で両者は連結される。
【００１６】
また、横方向の連結には一方管の横方向連結口の突縁部を他方管の横方向連結口の受け口に差し込めば、ピンが交差、弾発してロックされ、不用意に引き抜き不能で両者は連結される。いずれの連結にも部品は要らず、本発明による連結管は連結具自己保持構造となっている。
【００１７】
別の目的の実施例では、吊りチェーンは、そのチェーン部分が互いに繋がっているときいつも緊張しておらず、張り状態によって高さが一定していないので、中間部にターンバックルを設け、必要なときにボルトのねじ込みによりその高さを調節する。
【００１８】
【発明の実施の形態】
本発明の好適な実施例は、図面に基づいて説明される。
図１はその１実施例を示した平面図、図２はその正面図であり、３０は鉄、アルミなど剛性のある中空四角柱管であり、その一方端に縦方向連結口として突縁部３２を、他方端に縦方向連結口として受け口部３４を、それぞれ設けている。突縁部３２は、他方管の受け口部３４に内嵌合されるよう差し込み、内装したばね３２ａと、このばねに付設され、軸に対し垂直に弾発可能なピン３２ｂと、側面に設けたピン通し孔３２ｃとを備えている。
【００１９】
受け口部３４は、他方管の突縁部３２を外嵌合するよう差し込まれ、対向する２つの側面にピンロック孔３４ｃを備えている。これにより、１つの連結管３０はその突縁部３２を他の連結管３０の受け口部３４に差し込めば、ピン３２ｂがピンロック孔３４ｃ内に弾発してロックされる。なお、このような差込みは、ヤットコのような適当な治具を作って行えば効率的である。
【００２０】
また、両端間で管軸に対し垂直な少なくとも１つの対向した外側面に横方向連結口部３６，３８が設けら、その一方は突縁部３６からなり、これに内装したばね３６ａと、このばねに付設され、軸に対し垂直に弾発可能なピン３６ｂと、側面に設けたピン通し孔３６ｃとを備えている。実施例では、このような突縁部３２，３６は中空四角柱管３０の両端で溶接されている。
【００２１】
図３は、本発明による連結管３０を縦材３０Ｅとして、また横材３０Ｆとして用い、縦材３０Ｅに対し横方向に横材３０Ｆを連結、組み立てる説明図であり、横材３０Ｆの横突縁部３６を下方にして、また縦材３０Ｅの横受け口部３８を上向きにして、矢示のように前者を後者に差し込めば、ピン３６ｂがピン通し孔３６ｃ、ピンロック孔３８ｃ内に弾発してロックされ、図４のように、両者がなんの部品も要らず連結される。
【００２２】
本発明による連結管を縦材３０Ｅとして使用する場合には、吊りチェーン取付け具としてヘッドがリング状の吊りボルト４０（図９右側参照）を設けることが好ましく、図５にそのためのねじ孔４０ｃが管外側面両端間で等間隔に配設されている。
【００２３】
この図５は本発明による連結管の全体像を上側に平面図、下側に正面図でそれぞれ示している。本発明による連結管の全長Ｌは、吊り足場のフレームの大きさによって、例えば、３，８２５ミリ、２，９２５ミリ、２，０２５ミリ、１，１２５ミリなどとするのが好ましい。全長Ｌが３，８２５ミリの場合、横方向連結受け口部３８間は例えば４５０ミリ、吊りボルトのねじ孔間隔も同様で受け口部３８間の中央に設定される。
【００２４】
本発明による連結管を使って、吊り足場のフレームを組み立てる施工例が図６から図８に示されるが、上記した従来例と大きく変わらない。。
図６のように、作業者Ｍがのったクレーン等Ｃを移動させながら、二本の桁材などの支持材Ａにチェーン吊下用クランプＤを所定間隔で取付け、夫々のクランプＤにチェーン４２を吊下げる。次に、吊下げられているチェーン４２に親パイプと呼ばれる縦材Ｅとして連結管３０Ｅを取り付け、必要により他の連結管を縦方向連結口３２，３４により連結するならば、同様にクレーン等Ｃを移動させて同様の作業が行われる。
【００２５】
さらに、図７のように吊下げられている縦材Ｅとしての連結管３０Ｅ間に、ころがしパイプと呼ばれる横材Ｆとしての連結管３０Ｆを連結、取付ける。このとき、従来例のように直交クランプ等の固定具Ｇは使用する必要がない。また、従来例によれば、同横材３０Ｆの中央部に腹起こしパイプと称される補助材を載せるが、本発明ではそのような補助材は不要で、そのための直交クランプなどの固定具も必要でない。
【００２６】
図８は、本発明により組み立てられた足場フレームの部分平面図で、次のような施行例により得られる。本発明による連結管３０を縦材３０Ｅ、横材３０Ｆとして用い、横材３０Ｆを横方向連結口３６，３８により縦材３０Ｅ上に交差して連結し（図３，４参照）、吊りボルト４０と連結口３８とを掛け留め部として床プレート４４を横材３０Ｆ間に敷設する。床プレート４４は図９の左側に示すように、上記掛け留め部に対応して切り欠き部を有している。
【００２７】
なお、実際に使用される足場として、必要により手すり柱、養生フェンスなど従来例のものが使われて、吊り足場の組立が完成される。
【００２８】
図１０は、吊り足場用吊りチェーンの１実施例を示した正面図であり、上下端のフック４２ｆ、４２ｆにそれぞれ連結されたチェーン４２ｃ、４２ｃの間に、ボルト４２ｂを備え吊り高さ調節可能なターンバックル４２ｔが取り付けられている。このような吊りチェーンでは、チェーン４２ｃが弛んでいるとき、ターンバックル４２ｔを左右へ適当に回わすと、全体のチェーンが張られ、足場が水平になり、高所での作業が安全に行われる。
【００２９】
従来例では、図１４，１５及び１６にチェーンＢとしてみられるように、全長がチェーン環により構成されており、これを縦材Ｅの下部のみ巻上げ二重にして使っているので、高さの調節は容易でなかった。
【００３０】
【発明の効果】
本発明によれば、吊り足場フレームの組立の際に、縦方向、横方向でも連結のための部品が不要で、またモンキーなど工具も不要で、連結作業が容易に行われ、また曲げ強度の大きい、吊り足場組み立て用差込み連結管が得られる。
【図面の簡単な説明】
【図１】１実施例の平面図。
【図２】その正面図。
【図３】横方向の連結組立工程図。
【図４】横方向の連結態様図。
【図５】全体像を示した平面図、正面図。
【図６】縦材として連結管を吊りチェーンに取り付けている施工例説明図。
【図７】横材として連結管を縦材に取り付けている施工例説明図。
【図８】縦材上に交差して連結された横材間に床プレートが敷設された部分平面図。
【図９】左に床プレート、右に吊りボルトの１実施例を示した図。
【図１０】吊りチェーンの正面図。
【図１１】支持材に吊りチェーンを取り付けている施工例説明図。
【図１２】縦材を連結している従来例による施工例説明図。
【図１３】従来例による縦材と横材との連結例説明図。
【図１４】先行発明による最初の足場材取付け説明図。
【図１５】先行発明による足場材縦方向連結の説明図。
【図１６】先行発明による足場材横方向連結の説明図。
【符号の説明】
３０　　中空四角柱管
３２，３４　　　縦方向連結口　　　　３６，３８　　　横方向連結口
３２ａ，３６ａ　内装ばね　　　　　　３２ｂ，３６ｂ　ロックピン
３２ｃ，３６ｃ　ピン通し孔　　　　　３４ｃ，３８ｃ　ピンロック孔
４０　　吊りボルト　　　　　　　　　４０ｂ　ボルト取付けねじ孔
４２　　吊りチェーン　　　　　　　　４２ｔ　ターンバックル
３０Ｅ　縦材連結管　　　　　　　　　３０Ｆ　横材連結管
【図１】
2004019375.tif 000003
【図２】
2004019375.tif 000004
【図３】
2004019375.tif 000005
【図４】
2004019375.tif 000006
【図５】
2004019375.tif 000007
【図６】
2004019375.tif 000008
【図７】
2004019375.tif 000009
【図８】
2004019375.tif 000010
【図９】
2004019375.tif 000011
【図１０】
2004019375.tif 000012
【図１１】
2004019375.tif 000013
【図１２】
2004019375.tif 000014
【図１３】
2004019375.tif 000015
【図１４】
2004019375.tif 000016
【図１５】
2004019375.tif 000017
【図１６】
2004019375.tif 000018